【手続補正書】
【提出日】平成24年4月19日(2012.4.19)
【手続補正１】
【補正対象書類名】明細書
【補正対象項目名】発明の名称
【補正方法】変更
【補正の内容】
【発明の名称】計測装置及び刷版パターンの面積率の測定方法
【手続補正２】
【補正対象書類名】明細書
【補正対象項目名】０００１
【補正方法】変更
【補正の内容】
【０００１】
本発明は、レーザで描画した印刷版の刷版パターンの面積率を測定する測定装置及びその測定方法に関する。
【手続補正３】
【補正対象書類名】明細書
【補正対象項目名】００１１
【補正方法】変更
【補正の内容】
【００１１】
本発明はこれらの問題を解決するものであり、レーザで描画した印刷版の刷版パターンの面積率を高精度に測定することが可能となる測定装置及びその測定方法を提供することを目的とする。
【手続補正４】
【補正対象書類名】明細書
【補正対象項目名】００１２
【補正方法】変更
【補正の内容】
【００１２】
前記従来の課題を解決する為に、本発明の測定装置は、レーザ照射部分及びレーザ非照射部分から構成される所定の刷版パターンが描画された印刷版を用いて印刷された画像を画像データとして取り込む画像取り込みセンサと、前記画像取り込みセンサを移動可能に支持する直動機構と、前記画像取り込みセンサにより取り込まれた画像データのうち、レーザ照射部分及びレーザ非照射部分が混在する領域と、これを囲むレーザ照射部分又はレーザ非照射部分のいずれかのみの領域との境界の内側を網点閉パターンと特定し、前記網点閉パターンが前記画像取り込みセンサの計測範囲に収まっていない場合、前記直動機構により前記画像取り込みセンサを移動させて再度前記網点閉パターンを特定し、前記計測範囲内に収まった前記網点閉パターンのレーザ照射部分又はレーザ非照射部分の面積率の算出を行う制御部とを備える構成とする。
【手続補正５】
【補正対象書類名】明細書
【補正対象項目名】００１３
【補正方法】変更
【補正の内容】
【００１３】
さらに高精度に測定する為には、レーザ照射部分及びレーザ非照射部分から構成される所定の刷版パターンが描画された印刷版を用いて印刷された画像を画像データとして取り込む画像取り込みセンサと、前記画像取り込みセンサを移動可能に支持する直動機構と、前記刷版パターンと同様パターンである基準刷版パターンの画像から特定される基準網点閉パターン及び前記画像取り込みセンサの計測範囲に対する前記基準網点閉パターンの位置をあらかじめ記憶しておくデータ記憶部と、前記画像取り込みセンサにより取り込まれた画像データのうち、レーザ照射部分及びレーザ非照射部分が混在する領域と、これを囲むレーザ照射部分又はレーザ非照射部分のいずれかのみの領域との境界の内側を網点閉パターンと特定し、前記網点閉パターンと前記基準網点閉パターンとの位置ずれが所定範囲を超える場合、前記網点閉パターンの位置と前記基準網点閉パターンの位置とが前記所定範囲内になるように前記直動機構により前記画像取り込みセンサを移動させて再度前記網点閉パターンを特定し、前記基準網点閉パターンの位置に合わせた前記網点閉パターンのレーザ照射部分又はレーザ非照射部分の面積率の算出を行う制御部とを備える構成とする。
【手続補正６】
【補正対象書類名】明細書
【補正対象項目名】００２２
【補正方法】変更
【補正の内容】
【００２２】
表示装置４では制御部５から送られた画像データや、網点閉パターンの面積率、基準に対する網点閉パターンの位置、網点閉パターンの面積率から算出される各々のレーザ出力のフィードバック量等、種々の情報を表示させることが可能である。
【手続補正７】
【補正対象書類名】特許請求の範囲
【補正対象項目名】全文
【補正方法】変更
【補正の内容】
【特許請求の範囲】
【請求項１】
レーザ照射部分及びレーザ非照射部分から構成される所定の刷版パターンが描画された印刷版を用いて印刷された画像を画像データとして取り込む画像取り込みセンサと、
前記画像取り込みセンサを移動可能に支持する直動機構と、
前記画像取り込みセンサにより取り込まれた画像データのうち、レーザ照射部分及びレーザ非照射部分が混在する領域と、これを囲むレーザ照射部分又はレーザ非照射部分のいずれかのみの領域との境界の内側を網点閉パターンと特定し、前記網点閉パターンが前記画像取り込みセンサの計測範囲に収まっていない場合、前記直動機構により前記画像取り込みセンサを移動させて再度前記網点閉パターンを特定し、前記計測範囲内に収まった前記網点閉パターンのレーザ照射部分又はレーザ非照射部分の面積率の算出を行う制御部とを備えることを特徴とする計測装置。
【請求項２】
レーザ照射部分及びレーザ非照射部分から構成される所定の刷版パターンが描画された印刷版を用いて印刷された画像を画像データとして取り込む画像取り込みセンサと、
前記画像取り込みセンサを移動可能に支持する直動機構と、
前記刷版パターンと同様パターンである基準刷版パターンの画像から特定される基準網点閉パターン及び前記画像取り込みセンサの計測範囲に対する前記基準網点閉パターンの位置をあらかじめ記憶しておくデータ記憶部と、
前記画像取り込みセンサにより取り込まれた画像データのうち、レーザ照射部分及びレーザ非照射部分が混在する領域と、これを囲むレーザ照射部分又はレーザ非照射部分のいずれかのみの領域との境界の内側を網点閉パターンと特定し、前記網点閉パターンと前記基準網点閉パターンとの位置ずれが所定範囲を超える場合、前記網点閉パターンの位置と前記基準網点閉パターンの位置とが前記所定範囲内になるように前記直動機構により前記画像取り込みセンサを移動させて再度前記網点閉パターンを特定し、前記基準網点閉パターンの位置に合わせた前記網点閉パターンのレーザ照射部分又はレーザ非照射部分の面積率の算出を行う制御部とを備えることを特徴とする計測装置。
【請求項３】
レーザ照射部分及びレーザ非照射部分から構成される所定の刷版パターンが描画された印刷版を用いて印刷された画像を、移動可能な画像読み取りセンサにより画像データとして取り込む画像取り込みステップと、
前記画像取り込みステップにより取り込まれた画像データのうち、レーザ照射部分及びレーザ非照射部分の混在する領域と、これを囲むレーザ照射部分又はレーザ非照射部分のいずれかのみの領域との境界の内側を網点閉パターンと特定する特定ステップと、
前記網点閉パターンが前記画像取り込みセンサの計測範囲内に収まっているか判断する判断ステップと、
前記計測範囲内に収まっている前記網点閉パターンのレーザ照射部分又はレーザ非照射部分の面積率を算出する算出ステップとを備えることを特徴とする刷版パターンの面積率の測定方法。
【請求項４】
レーザ照射部分及びレーザ非照射部分から構成される所定の刷版パターンが描画された印刷版を用いて印刷された画像を、移動可能な画像読み取りセンサにより画像データとして取り込む画像取り込みステップと、
前記画像取り込みステップにより取り込まれた画像データのうち、レーザ照射部分及びレーザ非照射部分の混在する領域と、これを囲むレーザ照射部分又はレーザ非照射部分のいずれかのみの領域との境界の内側を網点閉パターンと特定する特定ステップと、
あらかじめ、前記刷版パターンと同様パターンである基準刷版パターンの画像から特定される基準網点閉パターン及び前記画像取り込みセンサの計測範囲に対する前記基準網点閉パターンの位置を記憶する記憶ステップと、
前記網点閉パターンと前記基準網点閉パターンの位置ずれを算出する位置算出ステップと、
前記位置ずれが所定範囲内の場合、前記網点閉パターンのレーザ照射部分又はレーザ非照射部分の面積率を算出する算出ステップとを備えることを特徴とする刷版パターンの面積率の測定方法。